(57)【要約】【課題】吸収性物品の長手方向の端部近傍からの横漏れを防止する。【解決手段】吸収性物品１では、本体部２の両側部上に設けられた一対の側壁部３４がそれぞれ、長手方向の両端部において接合部３３上に固定される２つの側壁端部３４１、および、２つの側壁端部３４１の間において本体部２から上側へと起立する起立部３４２を備える。側壁部３４は、接合部３３の内側のエッジにて幅方向の外側に向かって折り返され、さらに、幅方向の内側に向かって折り返される。各側壁端部３４１は、本体部２上に固定される固定部３４１１、および、起立部３４２から連続するとともに幅方向において固定部３４１１に隣接する半起立部３４１２を備え、半起立部３４１２は、本体部２から上側へと起立部３４２よりも低く起立して着用者の足の付け根近傍の肌に密着する。これにより、吸収性物品１の長手方向の端部近傍からの横漏れを防止することができる。【選択図】図１
2010094321.tif 000002
【特許請求の範囲】
【請求項１】
着用者からの排泄物を受ける吸収性物品であって、
バックシートとトップシートとの間に吸収コアが配置された略シート状の本体部と、
前記本体部の両側部上において前記本体部の長手方向のほぼ全長に亘って設けられた一対のサイドシートと、
を備え、
前記一対のサイドシートのそれぞれが、
前記長手方向の全長に亘って設けられた折り曲げ線の一方側の部位であり、前記本体部に接合される帯状の接合部と、
前記折り曲げ線の他方側の部位であり、前記折り曲げ線である前記接合部の前記長手方向に垂直な幅方向の内側のエッジにて前記幅方向の外側に向かって折り返され、さらに、前記幅方向の内側に向かって折り返されるとともに、一部が前記本体部から起立する側壁部と、
を備え、
前記側壁部が、
前記長手方向の両端部において前記接合部上に固定される２つの側壁端部と、
前記２つの側壁端部の間において前記２つの側壁端部から連続するとともに前記折り曲げ線から起立する起立部と、
前記起立部の前記長手方向のほぼ全長に亘って配置され、収縮することにより前記起立部を収縮させてギャザーを形成する弾性部材と、
を備え、
前記２つの側壁端部のうちの一方の側壁端部が、
前記起立部から連続する部位であって、前記弾性部材が配置されるとともに前記接合部および前記本体部に非接合とされ、前記弾性部材が収縮することにより前記起立部よりも低く前記本体部から起立する半起立部と、
前記幅方向において前記半起立部の外側に隣接するとともに前記接合部上に固定される固定部と、
を備えることを特徴とする吸収性物品。
【請求項２】
請求項１に記載の吸収性物品であって、
前記一方の側壁端部において、
前記半起立部が、前記起立部からサイドシートの前記長手方向の端まで連続して設けられることを特徴とする吸収性物品。
【請求項３】
請求項１または２に記載の吸収性物品であって、
前記半起立部が、前記吸収コアの前記長手方向の端と重なることを特徴とする吸収性物品。
【請求項４】
請求項１ないし３のいずれかに記載の吸収性物品であって、
前記半起立部の前記幅方向の幅が、前記起立部から離れるに従って漸次減少することを特徴とする吸収性物品。
【請求項５】
請求項１ないし４のいずれかに記載の吸収性物品であって、
前記一方の側壁端部が、
前記起立部から連続する部位であって、前記幅方向において前記固定部の外側に隣接するとともに筒状に折り曲げられることにより、前記長手方向に伸びる筒状空間を形成する空間形成部をさらに備えることを特徴とする吸収性物品。
【請求項６】
請求項１ないし５のいずれかに記載の吸収性物品であって、
前記２つの側壁端部のうちの他方の側壁端部が、
前記起立部から連続する部位であって、前記弾性部材が配置されるとともに前記接合部および前記本体部に非接合とされ、前記弾性部材が収縮することにより前記起立部よりも低く前記本体部から起立する半起立部と、
前記幅方向において前記半起立部の外側に隣接するとともに前記接合部上に固定される固定部と、
を備えることを特徴とする吸収性物品。
【請求項７】
請求項１ないし６のいずれかに記載の吸収性物品であって、
着用者が着用する外装物品の内側に取り付けられる軽失禁用の吸収パッドであることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつや下着に取り付けて使用される軽失禁用の吸収パッド等の吸収性物品では、両側部に着用者に向かって起立する一対の側壁部（いわゆる、立体ギャザー）が設けられており、これにより、尿等の排泄物が吸収性物品の側方から漏れることが防止されている。
【０００３】
このような吸収性物品では通常、側壁部の長手方向の両側の端部（以下、「側壁端部」という。）全体が吸収性物品の本体部の上面（すなわち、トップシート）に直接固定されており、これらの側壁端部の間に設けられた弾性部材が収縮することにより、側壁部が着用者に向かって立ち上がる。しかしながら、側壁端部の近傍では側壁部が立ち上がりにくく、側壁部の高さ不足による側方への漏れが生じるおそれがある。
【０００４】
特許文献１では、本体部の背側に設けられた止着テープを本体部の腹側に止着することによりウエスト周り開口部と脚周り開口部が形成されるテープタイプの使い捨ておむつにおいて、側壁端部の一部が本体部の上面に接合されない構造が開示されている。具体的には、側壁端部において幅方向の内側の領域が本体部の上面に非接合とされることにより、側壁端部近傍における側壁部の高さを大きくして漏れの防止が図られている。また、特許文献２の使い捨ておむつでも、特許文献１と同様に、側壁端部において本体部の上面に直接接合された部位の幅方向の内側の領域が本体部に非接合とされる。特許文献２の使い捨ておむつでは、側壁部に設けられた弾性部材が上記の非接合とされた領域まで設けられている。
【特許文献１】特開２００３−１８０７３９号公報
【特許文献２】特開２００６−１４１７６１号公報
【発明の開示】
【発明が解決しようとする課題】
【０００５】
ところで、特許文献１の使い捨ておむつでは、２つの側壁端部の間に弾性部材が設けられるが、側壁端部の幅方向の内側の領域（すなわち、本体部の上面に非接合とされる部位）には弾性部材は設けられない。このため、側壁端部が収縮せず、側壁端部近傍における側壁部の立ち上がりが不十分となり、側壁端部まで伝わってきた尿等の水分が側壁部を越えて側方へと漏れてしまう（いわゆる、横漏れが生じる）おそれがある。また、特許文献２の使い捨ておむつでは、側壁端部が本体部の上面に直接接合されているため、側壁端部近傍において側壁部が本体部から離れて大きく立ち上がることが阻害される。このため、側壁端部まで伝わってきた尿等の横漏れが生じるおそれがある。
【０００６】
本発明は、上記課題に鑑みなされたものであり、吸収性物品の長手方向の端部近傍からの横漏れを防止することを目的としている。
【課題を解決するための手段】
【０００７】
請求項１に記載の発明は、着用者からの排泄物を受ける吸収性物品であって、バックシートとトップシートとの間に吸収コアが配置された略シート状の本体部と、前記本体部の両側部上において前記本体部の長手方向のほぼ全長に亘って設けられた一対のサイドシートとを備え、前記一対のサイドシートのそれぞれが、前記長手方向の全長に亘って設けられた折り曲げ線の一方側の部位であり、前記本体部に接合される帯状の接合部と、前記折り曲げ線の他方側の部位であり、前記折り曲げ線である前記接合部の前記長手方向に垂直な幅方向の内側のエッジにて前記幅方向の外側に向かって折り返され、さらに、前記幅方向の内側に向かって折り返されるとともに、一部が前記本体部から起立する側壁部とを備え、前記側壁部が、前記長手方向の両端部において前記接合部上に固定される２つの側壁端部と、前記２つの側壁端部の間において前記２つの側壁端部から連続するとともに前記折り曲げ線から起立する起立部と、前記起立部の前記長手方向のほぼ全長に亘って配置され、収縮することにより前記起立部を収縮させてギャザーを形成する弾性部材とを備え、前記２つの側壁端部のうちの一方の側壁端部が、前記起立部から連続する部位であって、前記弾性部材が配置されるとともに前記接合部および前記本体部に非接合とされ、前記弾性部材が収縮することにより前記起立部よりも低く前記本体部から起立する半起立部と、前記幅方向において前記半起立部の外側に隣接するとともに前記接合部上に固定される固定部とを備える。
【０００８】
請求項２に記載の発明は、請求項１に記載の吸収性物品であって、前記一方の側壁端部において、前記半起立部が、前記起立部からサイドシートの前記長手方向の端まで連続して設けられる。
【０００９】
請求項３に記載の発明は、請求項１または２に記載の吸収性物品であって、前記半起立部が、前記吸収コアの前記長手方向の端と重なる。
【００１０】
請求項４に記載の発明は、請求項１ないし３のいずれかに記載の吸収性物品であって、前記半起立部の前記幅方向の幅が、前記起立部から離れるに従って漸次減少する。
【００１１】
請求項５に記載の発明は、請求項１ないし４のいずれかに記載の吸収性物品であって、前記一方の側壁端部が、前記起立部から連続する部位であって、前記幅方向において前記固定部の外側に隣接するとともに筒状に折り曲げられることにより、前記長手方向に伸びる筒状空間を形成する空間形成部をさらに備える。
【００１２】
請求項６に記載の発明は、請求項１ないし５のいずれかに記載の吸収性物品であって、前記２つの側壁端部のうちの他方の側壁端部が、前記起立部から連続する部位であって、前記弾性部材が配置されるとともに前記接合部および前記本体部に非接合とされ、前記弾性部材が収縮することにより前記起立部よりも低く前記本体部から起立する半起立部と、前記幅方向において前記半起立部の外側に隣接するとともに前記接合部上に固定される固定部とを備える。
【００１３】
請求項７に記載の発明は、請求項１ないし６のいずれかに記載の吸収性物品であって、着用者が着用する外装物品の内側に取り付けられる軽失禁用の吸収パッドである。
【発明の効果】
【００１４】
本発明では、吸収性物品の長手方向の端部近傍からの横漏れを防止することができる。また、請求項２の発明では、半起立部の長さを十分に確保することにより、吸収性物品の長手方向の端部近傍からの横漏れをより確実に防止することができる。
【００１５】
請求項３の発明では、側壁端部から本体部へと戻された水分を速やかに吸収することができる。また、請求項４の発明では、側壁端部まで伝わってきた水分を本体部へと速やかに戻すことができる。請求項５の発明では、側壁端部まで伝わってきた水分を一時的に保持することにより、吸収性物品の長手方向の端部近傍からの横漏れをより確実に防止することができる。
【発明を実施するための最良の形態】
【００１６】
図１は、本発明の第１の実施の形態に係る吸収性物品１を示す平面図であり、吸収性物品１は、着用者が着用する外装物品である下着の内側（すなわち、着用者側）に取り付けられて着用者からの尿等の排泄物を受ける軽失禁用の吸収パッドである。吸収性物品１は、パッケージ等における表示吸収量が約２００ｍｌ（ミリリットル）以下である吸収パッドであり、本実施の形態では、吸収性物品１の表示吸収量は２０ｍｌ以上４０ｍｌ以下とされる。ただし、吸収性物品１の実際の吸収量は表示吸収量よりも大きい。図１では、着用者に接する面（以下、「上面」という）を手前側にして吸収性物品１を描いている。
【００１７】
図２は、吸収性物品１を図１中に示すＡ−Ａの位置にて吸収性物品１の長手方向（すなわち、図１中の上下方向）に垂直な面で切断した断面図であり、図３は、吸収性物品１の図１中における上側の端部近傍の部位をＢ−Ｂの位置にて長手方向に垂直な面で切断した断面図である。吸収性物品１では、図１中における下側の端部近傍の部位も、図３に示す断面と同様の構造を有する。
【００１８】
図１および図２に示すように、吸収性物品１は、バックシート２３、制臭シート２４、吸収コア２２およびトップシート２１が下側（すなわち、着用者側とは反対側）から順に積層された略シート状の本体部２、並びに、本体部２の両側部上において（すなわち、長手方向に垂直な幅方向の両側において）本体部２の長手方向のほぼ全長に亘って設けられた一対のサイドシート３を備える。本体部２では、トップシート２１とバックシート２３との間に配置された吸収体である吸収コア２２の着用者側の主面である上面がトップシート２１により覆われ、吸収コア２２の着用者側とは反対側の主面である下面がバックシート２３により覆われる。トップシート２１およびバックシート２３は、ホットメルト接着剤等により吸収コア２２および制臭シート２４の周囲にて互いに接合される。図２では、図示の都合上、本体部２の各構成およびサイドシート３を分離して描いている（図３においても同様）。
【００１９】
トップシート２１は透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２０】
吸収コア２２は、厚さ方向に積層された２層のコア部材２２１，２２２（図２参照）を備える。コア部材２２１，２２２はそれぞれ、２枚の不織布の間に粒状の高吸水性ポリマー（例えば、ＳＡＰ（Super Absorbent Polymer））をホットメルト接着剤等により固定した上で当該２枚の不織布をホットメルト接着剤やヒートシール等により接合した構造とされ、トップシート２１を透過した水分を吸収して速やかに固定する。各コア部材では、高吸水性ポリマーは、それぞれが長手方向に連続的に伸びる帯状であって幅方向に配列された複数の領域に固定され、当該複数の領域の隙間（すなわち、高吸水性ポリマーの非存在領域）において２枚の不織布がヒートシール等により接合されることにより、高吸水性ポリマーの複数の存在領域が個別に封止される。
【００２１】
なお、コア部材２２１，２２２の構造は上記構造には限定されず、各コア部材は、親水性繊維（例えば、粉砕したパルプ繊維やセルロース繊維）に粒状の高吸水性ポリマーを混合したものをティッシュペーパーや透液性不織布等の被覆シートにより包み込んで形成されてもよい。この場合、親水性繊維を包む被覆シートは、親水性繊維および高吸水性ポリマーとホットメルト接着剤により接合されて、親水性繊維の型崩れ、および、高吸水性ポリマーの脱落（特に、吸水後における脱落）を防止する。また、吸収コア２２は、例えば、１つのコア部材により構成されてもよい。
【００２２】
バックシート２３は、撥水性または不透液性のプラスチックフィルムであり、トップシート２１を透過した排泄物が、本体部２の外部へとしみ出すことを防止する。吸収性物品１のムレを防止して着用者の快適性を向上するという観点からは、透湿性（すなわち、通気性）を有するプラスチックフィルムがバックシート２３として利用されることが好ましい。バックシート２３としては、撥水性または不透液性の不織布（例えば、スパンボンド不織布やメルトブロー不織布、ＳＭＳ（スパンボンド・メルトブロー・スパンボンド）不織布）や当該不織布の上側に撥水性または不透液性のプラスチックフィルムが積層された積層シートが利用されてもよい。
【００２３】
制臭シート２４は、制臭剤を含有する親水性のシート部材であり、制臭シート２４を形成する親水性繊維としては、例えば、セルロースやパルプが用いられる。制臭剤としては、好ましくは金属（例えば、銀、銅、亜鉛、鉄、ニッケルコバルト、パラジウム、白金）を担持するゼオライト等の無機多孔結晶が用いられる。
【００２４】
一対のサイドシート３はそれぞれ、図１ないし図３に示すように、撥水性または不透液性のシート部材であるサイドシート本体３１に、長手方向に伸びる弾性部材３２が接合されることにより形成される。サイドシート本体３１は、例えば、スパンボンド不織布、メルトブロー不織布、ＳＭＳ不織布、または、エアスルー不織布により形成される。また、サイドシート本体３１は、プラスチックフィルムや上記不織布とプラスチックフィルムとが積層された積層シートにより形成されてもよく、この場合、透湿性を有するプラスチックフィルムが利用されることにより、吸収性物品１のムレが防止されて着用者の快適性が向上される。弾性部材３２は、帯状のポリウレタンフィルムであり、ホットメルト接着剤によりサイドシート本体３１に接着される。弾性部材３２としては、帯状の天然ゴム、弾性糸であるポリウレタン糸や糸状の天然ゴム等が用いられてもよい。
【００２５】
図１ないし図３に示すように、一対のサイドシート３はそれぞれ、長手方向の全長に亘って設けられた折り曲げ線３９（図２および図３に示す。）の一方側の部位である帯状の接合部３３、および、折り曲げ線３９の他方側の部位である側壁部３４を備える。接合部３３は、本体部２の側方エッジ近傍において長手方向の全長に亘って本体部２の上側（すなわち、着用者側）にホットメルト接着剤を用いて接合される。図２および図３に示すように、側壁部３４は、折り曲げ線３９である接合部３３の幅方向の内側のエッジにて幅方向の外側に向かって折り返され、さらに、幅方向の内側に向かって折り返されるとともにその一部（後述する起立部３４２（図２参照）および半起立部３４１２（図３参照））が本体部２から起立する。換言すれば、サイドシート３が折り曲げ線３９にて幅方向の外方へと折り返され、外方へと折り返された部位である側壁部３４が、幅方向のおよそ中央にて幅方向の内方、かつ、着用者側へと折り返される。
【００２６】
各側壁部３４は、図１および図３に示すように、長手方向の両端部において接合部３３上に重ねられてヒートシールにより接合部３３上に固定される２つの側壁端部３４１を備え、各側壁端部３４１は接合部３３を介して本体部２上に固定される。側壁部３４は、また、図１および図２に示すように、２つの側壁端部３４１の間において２つの側壁端部３４１から連続するとともに本体部２から上側へと起立する起立部３４２を備える。
【００２７】
図１および図３に示すように、２つの側壁端部３４１はそれぞれ、ヒートシールにより接合部３３上に固定される（すなわち、接合部３３を介して本体部２上に間接的に固定される）固定部３４１１、および、起立部３４２から連続するとともに幅方向の内側において固定部３４１１に隣接する半起立部３４１２を備える。長手方向に伸びる帯状の半起立部３４１２は、接合部３３および本体部２に非接合とされ、本体部２から上側へと起立部３４２（の最も高く起立する部位）よりも低く起立する。図１に示すように、半起立部３４１２は、起立部３４２からサイドシート３の長手方向の端（すなわち、エッジ）まで連続して設けられ、吸収コア２２の長手方向の端と重なる。図１では、図の理解を容易にするために、一対の側壁部３４の各固定部３４１１に平行斜線を付している（図４、図５、図７、図８および図９においても同様）。
【００２８】
図１ないし図３に示すように、側壁部３４は、側壁部３４の長手方向のほぼ全長に亘って（すなわち、起立部３４２の長手方向の全長および２つの半起立部３４１２のほぼ全長に亘って）配置される帯状の弾性部材３２を備える。吸収性物品１が着用者に装着される際には、各サイドシート３において、伸張状態にて起立部３４２および２つの半起立部３４１２に接合された弾性部材３２が長手方向に収縮することにより、起立部３４２が長手方向に収縮してギャザーを形成するとともに、本体部２の側方エッジよりも内側に位置する折り曲げ線３９から（すなわち、本体部２の側方エッジから内側に離れた本体部２上の位置にて）上側へと起立する。また、２つの半起立部３４１２も長手方向に収縮して、固定部３４１１の幅方向の内側の端から上側へと起立する。そして、起立部３４２および半起立部３４１２が着用者の足の付け根近傍の肌に密着する。
【００２９】
吸収性物品１では、一対の側壁部３４の長手方向の端部近傍において、側壁端部３４１に半起立部３４１２を設けることにより、側壁端部３４１まで伝わってきた尿等の水分が側壁部３４を越えて側方へと漏れることが防止される。換言すれば、吸収性物品１の長手方向の端部近傍からの横漏れを防止することができる。吸収性物品１では、側壁端部３４１において幅方向において半起立部３４１２の外側に隣接する固定部３４１１の長さを十分に確保することにより、側壁端部３４１と接合部３３とを確実に接合して起立部３４２および半起立部３４１２によるギャザーの形状を確実に維持することができる。
【００３０】
各サイドシート３では、側壁部３４が折り曲げ線３９にて幅方向の外側に向かって折り返され、さらに、幅方向の内側に向かって折り返されることにより、側壁端部３４１において半起立部３４１２および半起立部３４１２と対向する部位３４３（以下、「半起立部対向部３４３」という。）が接合部３３および本体部２に非接合とされる。これにより、半起立部３４１２を本体部２から大きく立ち上げることができ、その結果、吸収性物品１の長手方向の端部近傍からの横漏れをより確実に防止することができる。また、各側壁端部３４１において、撥水性または不透液性の半起立部３４１２と半起立部対向部３４３とが対向する構造とされることにより、起立部３４２から側壁端部３４１まで伝わってきた水分を、半起立部３４１２および接合部３３により本体部２へと速やかに戻すことができる。その結果、吸収性物品１の長手方向の端部近傍からの横漏れをさらに確実に防止することができる。
【００３１】
上述の吸収性物品１の構造は、長手方向の長さが小さいため尿等の水分が吸収コアに吸収される前に長手方向の端部に到達する可能性が比較的高く、長手方向の端部近傍からの横漏れ防止の必要性が比較的高い小型の軽失禁用の吸収パッドに特に適している。
【００３２】
吸収性物品１では、各側壁部３４の２つの側壁端部３４１がそれぞれ、半起立部３４１２および固定部３４１１を備えることにより、吸収性物品１の長手方向の両側の端部近傍からの横漏れを防止することができる。また、起立部３４２および半起立部３４１２によるギャザーの形状をより確実に維持することができる。
【００３３】
各側壁部３４では、上述のように、側壁端部３４１において半起立部３４１２が起立部３４２からサイドシート３の長手方向の端まで連続して設けられる。このように、半起立部３４１２の長さを十分に確保することにより、吸収性物品１の長手方向の端部近傍からの横漏れをより確実に防止することができる。
【００３４】
また、半起立部３４１２が吸収コア２２の長手方向の端と重なる（すなわち、半起立部３４１２の起立部３４２とは反対側の端が、吸収コア２２の端と本体部２の端との間に位置する、または、吸収コア２２の端と重なる）ことにより、側壁端部３４１の半起立部３４１２から本体部２へと戻された水分を吸収コア２２により速やかに吸収することができる。その結果、吸収性物品１の長手方向の端部近傍からの横漏れをさらに確実に防止することができる。
【００３５】
次に、本発明の第２の実施の形態に係る吸収性物品について説明する。図４は、第２の実施の形態に係る吸収性物品１ａを示す平面図である。吸収性物品１ａでは、各側壁部３４の２つの側壁端部３４１における固定部３４１１および半起立部３４１２の形状が図１に示すものと異なる。その他の構成は、図１ないし図３に示す吸収性物品１と同様であり、以下の説明において同符号を付す。
【００３６】
図４に示すように、吸収性物品１ａでは、吸収性物品１ａを長手方向に伸ばした状態において、半起立部３４１２の幅方向の幅が、起立部３４２から離れるに従って漸次減少する。換言すれば、半起立部３４１２と固定部３４１１との間の境界が、起立部３４２から離れるに従って幅方向の内側へと向かう。また、側壁端部３４１の長手方向の端（すなわち、起立部３４２とは反対側の端）が、全幅に亘って接合部３３に接合される。
【００３７】
吸収性物品１ａでは、第１の実施の形態と同様に、接合部３３上において２つ折りにされた側壁部３４において、側壁端部３４１に半起立部３４１２が設けられることにより、吸収性物品１ａの長手方向の端部近傍からの横漏れが防止される。また、側壁端部３４１において固定部３４１１の長さを十分に確保することにより、側壁端部３４１と接合部３３とを確実に接合して起立部３４２および半起立部３４１２によるギャザーの形状を確実に維持することができる。
【００３８】
第２の実施の形態に係る吸収性物品１ａでは、特に、半起立部３４１２の幅方向の幅が起立部３４２から離れるに従って漸次減少することにより、起立部３４２から側壁端部３４１まで伝わってきた水分を半起立部３４１２と固定部３４１１との間の境界に沿って幅方向の内側へと速やかに導き、本体部２へと速やかに戻すことができる。その結果、吸収性物品１ａの長手方向の端部近傍からの横漏れをより確実に防止することができる。また、側壁端部３４１の長手方向の端が全幅に亘って接合部３３に接合されることにより、側壁端部３４１まで伝わってきた水分をより確実に本体部２へと戻すことができる。これにより、吸収性物品１ａの長手方向の端部近傍からの横漏れをさらに確実に防止することができる。
【００３９】
次に、本発明の第３の実施の形態に係る吸収性物品について説明する。図５は、第３の実施の形態に係る吸収性物品１ｂを示す平面図である。図６は、吸収性物品１ｂを図５中に示すＣ−Ｃの位置にて吸収性物品１ｂの長手方向（すなわち、図６中の上下方向）に垂直な面で切断した断面図であり、上述の図３に対応する。吸収性物品１ｂでは、各側壁部３４の２つの側壁端部３４１の構成が図１に示すものと異なる。その他の構成は、図１ないし図３に示す吸収性物品１と同様であり、以下の説明において同符号を付す。
【００４０】
図５および図６に示すように、吸収性物品１ｂでは、各側壁端部３４１において、第１の実施の形態と同様に、固定部３４１１が幅方向において半起立部３４１２の外側に位置しており、半起立部３４１２の形状も第１の実施の形態と同様とされる。吸収性物品１ｂでは、第１の実施の形態とは異なり、各側壁端部３４１が、幅方向において固定部３４１１の外側に隣接するとともに接合部３３および本体部２に非接合とされるとともに接合部３３上において長手方向に伸びる筒状空間３４１４を形成する空間形成部３４１３をさらに備える。換言すれば、固定部３４１１は、幅方向において半起立部３４１２と空間形成部３４１３とにより挟まれている。図５に示すように、空間形成部３４１３は、半起立部３４１２と同様に、起立部３４２から連続する部位である。
【００４１】
図６に示すように、空間形成部３４１３では、側壁部３４が筒状に折り曲げられて上層３４１５および下層３４１６の２層に積層され（より詳細には、上層３４１５は互いに接合された２層の不織布により形成される。）、上層３４１５および下層３４１６が互いに非接合とされることにより、上層３４１５および下層３４１６の間に筒状空間３４１４が形成される。図６では、図の理解を容易にするために、筒状空間３４１４の高さを実際よりも大きく、かつ、矩形状に描いている。
【００４２】
筒状空間３４１４は、図２に示す本体部２上において一対の起立部３４２に挟まれる空間（すなわち、一対の起立部３４２の幅方向の内側の空間）と長手方向において連続している。このため、吸収性物品１ｂでは、起立部３４２（図５参照）から側壁端部３４１まで伝わってきた水分（特に、起立部３４２の幅方向の外側の部位を伝わってきた水分）は、筒状空間３４１４により一時的に保持された後、起立部３４２を介して本体部２へと戻される。これにより、側壁端部３４１に比較的多量の水分が伝わってきた場合であっても、吸収性物品１ｂの長手方向の端部近傍からの横漏れをより確実に防止することができる。
【００４３】
次に、本発明の第４の実施の形態に係る吸収性物品について説明する。図７は、第４の実施の形態に係る吸収性物品１ｃを示す平面図である。吸収性物品１ｃでは、各側壁部３４の２つの側壁端部３４１における固定部３４１１、半起立部３４１２および空間形成部３４１３の形状が図５に示すものと異なる。その他の構成は、図５および図６に示す吸収性物品１ｂと同様であり、以下の説明において同符号を付す。
【００４４】
図７に示すように、吸収性物品１ｃでは、吸収性物品１ｃを長手方向に伸ばした状態において、半起立部３４１２の幅方向の幅が、第２の実施の形態と同様に、起立部３４２から離れるに従って漸次減少する。また、吸収性物品１ｃでは、空間形成部３４１３の幅方向の幅も、起立部３４２から離れるに従って漸次減少する。換言すれば、空間形成部３４１３と固定部３４１１との間の境界が、起立部３４２に近づくに従って幅方向の内側へと向かう。また、側壁端部３４１の長手方向の端（すなわち、起立部３４２とは反対側の端）は、全幅に亘って接合部３３に接合される。
【００４５】
吸収性物品１ｃでは、第３の実施の形態と同様に、空間形成部３４１３に設けられた筒状空間３４１４（図６参照）により、起立部３４２から側壁端部３４１まで伝わってきた水分が一時的に保持された後、起立部３４２を介して本体部２へと戻されるため、吸収性物品１ｃの長手方向の端部近傍からの横漏れをより確実に防止することができる。また、空間形成部３４１３の幅が起立部３４２から離れるに従って漸次減少することにより、筒状空間３４１４に一時的に保持された水分を空間形成部３４１３と固定部３４１１との間の境界に沿って幅方向の内側へと速やかに導き、本体部２へと速やかに戻すことができる。その結果、吸収性物品１ｃの長手方向の端部近傍からの横漏れをさらに確実に防止することができる。その上、側壁端部３４１の長手方向の端が全幅に亘って接合部３３に接合されることにより、筒状空間３４１４に一時的に保持された水分をさらに確実に本体部２へと戻すことができる。これにより、吸収性物品１ｃの長手方向の端部近傍からの横漏れをより一層確実に防止することができる。
【００４６】
次に、本発明の第５の実施の形態に係る吸収性物品について説明する。図８は、第５の実施の形態に係る吸収性物品１ｄを示す平面図である。吸収性物品１ｄでは、各側壁部３４の２つの側壁端部３４１における固定部３４１１、半起立部３４１２および空間形成部３４１３の形状が図７に示すものと異なる。その他の構成は、図７に示す吸収性物品１ｃと同様であり、以下の説明において同符号を付す。なお、図８では、図の理解を容易にするために、固定部３４１１の形状を実線にて描いている。
【００４７】
図８に示すように、吸収性物品１ｄでは、吸収性物品１ｄを長手方向に伸ばした状態において、半起立部３４１２および空間形成部３４１３の幅方向の幅が、第４の実施の形態と同様に、起立部３４２から離れるに従って漸次減少する。吸収性物品１ｄでは、半起立部３４１２と空間形成部３４１３との間の固定部３４１１が、長手方向に配列されるとともに起立部３４２から離れるに従って幅が段階的に大きくなる複数の略長方形領域の集合とされるため、半起立部３４１２および空間形成部３４１３の幅は、起立部３４２から離れるに従って段階的に小さくなる。
【００４８】
吸収性物品１ｄでは、第４の実施の形態と同様に、空間形成部３４１３に設けられた筒状空間３４１４（図６参照）により、吸収性物品１ｄの長手方向の端部近傍からの横漏れをより確実に防止することができる。また、吸収性物品１ｄでは、固定部３４１１の形状を簡素化することにより、吸収性物品１ｄの製造を簡素化することができる。
【００４９】
以上、本発明の実施の形態について説明してきたが、本発明は上記実施の形態に限定されるものではなく、様々な変更が可能である。
【００５０】
側壁端部３４１における固定部３４１１および半起立部３４１２の形状は、図１、図４、図５および図７に示すものには限定されず、例えば、図９に示す吸収性物品１ｅのように、矩形状の半起立部３４１２が、起立部３４２から側壁端部３４１の長手方向のおよそ中央まで設けられ、側壁端部３４１の長手方向のおよそ中央から端までの間の部位が全幅に亘って接合部３３上に固定されてもよい。すなわち、側壁端部３４１において、半起立部３４１２に幅方向の外側にて隣接する部位、および、半起立部３４１２よりも側壁端部３４１の端に近い部位が固定部３４１１となる。
【００５１】
固定部３４１１の接合部３３に対する固定は、超音波接合やホットメルト接着剤による接着、あるいは、ヒートシールとホットメルト接着剤による接着の組み合わせ等により行われてもよいが、図４に示す吸収性物品１ａや図７ないし図９に示す吸収性物品１ｃないし１ｅのように、固定部３４１１の形状が複雑である場合には、複雑な形状の固定部３４１１の接合に容易に対応可能なヒートシールが好ましい。
【００５２】
上述の吸収性物品１，１ａ〜１ｅでは、各側壁部３４において、２つの側壁端部３４１のうち一方の側壁端部３４１からの横漏れ防止の必要性が他方の側壁端部３４１に比べて高い場合等、一方の側壁端部３４１にのみ半起立部３４１２が設けられ、他方の側壁端部３４１全体が接合部３３上に接合されてもよい（すなわち、他方の側壁端部３４１全体が固定部３４１１とされてもよい。）。この場合であっても、吸収性物品の長手方向の一方の端部近傍からの横漏れが防止される。なお、このように、各側壁部３４において一方の側壁端部３４１にのみ半起立部３４１２が設けられる場合、弾性部材３２は、当該一方の側壁端部３４１の半起立部３４１２から起立部３４２にかけて設けられ、弾性部材３２の一方の端部は当該半起立部３４１２に位置する。また、弾性部材３２の他方の端部は、必ずしも起立部３４２と他方の側壁端部３４１との境界に位置する必要はなく、当該境界よりも少し手前（すなわち、起立部３４２側）に位置してもよい。換言すれば、起立部３４２では、弾性部材３２は起立部３４２の長手方向のほぼ全長に亘って配置されていればよい。
【００５３】
上述の吸収性物品の構造は、軽失禁パッド以外にも、使い捨ておむつや使い捨ておむつの着用者側に取り付けて使用される補助吸収具、あるいは、生理用ナプキンやパンティライナー等の様々な吸収性物品に適用されてよい。
【図面の簡単な説明】
【００５４】
【図１】第１の実施の形態に係る吸収性物品の平面図である。
【図２】吸収性物品の断面図である。
【図３】吸収性物品の断面図である。
【図４】第２の実施の形態に係る吸収性物品の平面図である。
【図５】第３の実施の形態に係る吸収性物品の平面図である。
【図６】吸収性物品の断面図である。
【図７】第４の実施の形態に係る吸収性物品の平面図である。
【図８】第５の実施の形態に係る吸収性物品の平面図である。
【図９】吸収性物品の他の例を示す平面図である。
【符号の説明】
【００５５】
１，１ａ〜１ｅ    吸収性物品
２    本体部
３    サイドシート
２１    トップシート
２２    吸収コア
２３    バックシート
３２    弾性部材
３３    接合部
３４    側壁部
３９    折り曲げ線
３４１    側壁端部
３４２    起立部
３４１１    固定部
３４１２    半起立部
３４１３    空間形成部
【図１】
2010094321.tif 000003
【図２】
2010094321.tif 000004
【図３】
2010094321.tif 000005
【図４】
2010094321.tif 000006
【図５】
2010094321.tif 000007
【図６】
2010094321.tif 000008
【図７】
2010094321.tif 000009
【図８】
2010094321.tif 000010
【図９】
2010094321.tif 000011